(57)【特許請求の範囲】
【請求項１】
複数台の照明灯具が接続可能な位相制御式調光器に接続可能であり、交番電圧を入力してＬＥＤを駆動するＬＥＤ駆動回路であって、
前記位相制御式調光器のインピーダンス値を検出し、検出したインピーダンス値に基づいて、前記位相制御式調光器に他の照明灯具が接続されているか否か判別するインピーダンス検出手段と、
前記インピーダンス検出手段で検出されたインピーダンス値に基づき、必要に応じて前記ＬＥＤ駆動回路のインピーダンスを調整するインピーダンス調整手段とを備えていることを特徴とするＬＥＤ駆動回路。
【請求項２】
前記インピーダンス検出手段は、前記インピーダンス調整手段に対し、前記インピーダンスを調整するための調整信号を出力する請求項１に記載のＬＥＤ駆動回路。
【請求項３】
前記インピーダンス検出手段は一定期間後にインピーダンス検出を停止し、
前記インピーダンス検出手段によるインピーダンス検出が停止した後も、前記調整信号の出力を保持する保持手段を備えている請求項２に記載のＬＥＤ駆動回路。
【請求項４】
前記調整信号がインピーダンス検出手段で検出されるインピーダンス値を表す信号であり、
前記インピーダンス調整手段は、前記調整信号と、前記インピーダンス調整手段を流れる電流値とに基づいて、インピーダンス調整値を決定する請求項２又は請求項３に記載のＬＥＤ駆動回路。
【請求項５】
前記調整信号がインピーダンス検出手段で検出されるインピーダンス値を表す信号であり、
前記インピーダンス調整手段は、前記調整信号と、ＬＥＤに電力を供給する電力供給ラインに流れる電流とに基づいて、インピーダンス調整値を決定する請求項２又は請求項３に記載のＬＥＤ駆動回路。
【請求項６】
前記インピーダンス検出手段は、内部に電流を流すことができる構成を有しており、
前記インピーダンス検出手段は、前記位相制御式調光器がオフのとき、内部に電流を流し、その電流値の変化によって、インピーダンス値を検出する請求項１から請求項５のいずれかに記載のＬＥＤ駆動回路。
【請求項７】
前記インピーダンス検出手段は、前記位相制御式調光器がオフのとき、一定の期間、前記インピーダンス調整手段のインピーダンス調整量を変化させ、そのときの電流値の変化によってインピーダンス値を検出する請求項１から請求項５のいずれかに記載のＬＥＤ駆動回路。
【請求項８】
前記インピーダンス検出手段が前記位相制御式調光器に複数台の照明灯具が接続されていると判別しているとき、
前記インピーダンス検出手段は、検出したインピーダンス値に基づいて前記位相制御式調光器に接続されている他の照明灯具でインピーダンスを調整しているか否か判別し、前記インピーダンス検出手段によって、他の照明灯具がインピーダンスを調整していないと判別されたとき、前記インピーダンス調整手段がインピーダンス調整を行う請求項１から請求項７のいずれかに記載のＬＥＤ駆動回路。
【請求項９】
前記インピーダンス調整手段は、少なくとも前記位相制御式調光器がオフのときにＬＥＤ駆動回路のインピーダンスを調整する請求項１から請求項８のいずれかに記載のＬＥＤ駆動回路。
【請求項１０】
前記インピーダンス調整手段は、少なくとも前記位相制御式調光器がオンした後、一定の期間インピーダンスを調整する請求項１から請求項９のいずれかに記載のＬＥＤ駆動回路。
【請求項１１】
前記インピーダンス調整手段は、少なくとも前記位相制御式調光器が低輝度調光を行っているときにインピーダンスを調整する請求項１から請求項１０のいずれかに記載のＬＥＤ駆動回路。
【請求項１２】
請求項１〜請求項１１のいずれか１項に記載のＬＥＤ駆動回路と、ＬＥＤ駆動回路の出力側に接続されたＬＥＤとを備えるＬＥＤ照明灯具。
【請求項１３】
複数個の照明灯具を備えており、
前記複数個の照明灯具のうち少なくとも一つが請求項１２に記載のＬＥＤ照明灯具であるＬＥＤ照明機器。
【請求項１４】
請求項１３に記載のＬＥＤ照明機器と、
位相制御式調光器とを備え、
前記位相制御式調光器の出力側に、前記複数個の照明灯具の入力側が並列接続されるＬＥＤ照明システム。
【発明の詳細な説明】
【技術分野】
【０００１】
本発明は、ＬＥＤを駆動するＬＥＤ駆動回路、ＬＥＤを光源とするＬＥＤ照明灯具、ＬＥＤ照明機器及びＬＥＤ照明システムに関する。
【背景技術】
【０００２】
ＬＥＤは消費電力が低く、寿命が長い等の特長を有しており、表示装置だけでなく照明器具等にもその用途が広がりつつある。なお、ＬＥＤ照明灯具では、所望する照度を得るため、複数個のＬＥＤを用いる場合が多い。
【０００３】
一般的な照明器具は商用交流電源（日本国内ではＡＣ１００Ｖ）を使用する場合が多い。白熱電球などの一般的な照明灯具に代えてＬＥＤを用いた照明灯具（以下、ＬＥＤ照明灯具と称する）を使用する場合などを考慮すると、ＬＥＤ照明灯具も一般的な照明灯具と同様、交流電源を使用する構成であることが望ましい。
【０００４】
また、白熱電球の調光制御を行う照明システムでは、スイッチング素子（一般的にはサイリスタやトライアック素子）を交流電源電圧のある位相角でオンすることにより、白熱電球への電源供給をボリューム素子一つで簡単に調光制御できる位相制御式調光器（一般に白熱ライコンと呼ばれている）が用いられている。
【０００５】
交流電源使用のＬＥＤ照明灯具の調光制御をする場合、白熱電球の調光制御する場合と同様に位相制御式調光器が用いられることが望まれる。ここで、交流電源使用のＬＥＤ照明灯具を調光制御することができるＬＥＤ照明システムの従来例を図１３に示す。
【０００６】
図１３に示すＬＥＤ照明システムは、位相制御式調光器２と、ダイオードブリッジＤＢ１、インピーダンス調整部９６及びＬＥＤ電流制御回路５を含むＬＥＤ駆動回路９４と、ＬＥＤモジュール３とを備えている。交流電源１と上記ＬＥＤ駆動回路９４との間に位相制御式調光器２が直列に接続されている。位相制御式調光器２は、交流電源１より交流電圧を受け、抵抗ＲＶ１、ＲＶ２、コンデンサＣＶ１、ＣＶ２、ダイアックＤｉ１により、電流保持素子であるトライアックＴｒｉ１をオンさせる位相を決定している。なお、電流保持素子はトライアック以外にもＭＯＳスイッチなどを用いる場合もある。
【０００７】
また、位相制御式調光器２では、コンデンサＣＬＣとインダクタＬＬＣとによる雑音防止回路が構成されている。位相制御式調光器２では、コンデンサＣＬＣはトライアックがオフしていないときのインピーダンスを決定しており、インダクタＬＬＣはトライアックＴｒｉ１がオンしたときコンデンサＣＬＣにショート電流が流れるのを防いでいる。
【０００８】
白熱電球を位相制御式調光器で調光する場合において、ワット数の小さな白熱電球と調光器とを接続するとちらつきや点滅が生じ正常に調光できないことが知られている。そこで、上記のＬＥＤ照明システムにおいて、ちらつきや点滅を防止するため、インピーダンス調整部９６が用いられている。インピーダンス調整部９６として、オフ時インピーダンス調整部９６１、共振誤作動防止インピーダンス調整部９６２及びトライアック維持インピーダンス調整部９６３とを挙げることができる。以下に、各インピーダンス調整部について図面を参照して説明する。
【０００９】
ＬＥＤ照明システムでは、位相制御式調光器２がオフのとき、すなわち、トライアックＴｒｉ１がオフのとき、本来は交流電源１からＬＥＤ駆動回路９４への電源供給をカットしていなければならない。しかしながら、前記位相制御式調光器２の雑音防止回路のコンデンサＣＬＣにより、交流電源１とＬＥＤ駆動回路９４とが常に電気的に接続されており、トライアックＴｒｉ１がオフのときでもＬＥＤ駆動回路９４にはコンデンサＣＬＣにより有限のインピーダンスが発生している。このインピーダンスが低いと位相制御式調光器２が正常に動作しなくなる場合がある。そこで、オフ時インピーダンス調整部９６１は、ＬＥＤ駆動回路９４のインピーダンスをコンデンサＣＬＣよりも十分に低くなるように調整する。これにより、位相制御式調光器２がオフのとき位相制御式調光器２の両端に電圧がかかり、位相制御式調光器２は正常に動作する。なお、オフ時インピーダンス調整部９６１は、位相制御式調光器２がオンのときオフである。
【００１０】
オフ時インピーダンス調整回路９６１の一例の回路図を図１４Ａに示す。図１４Ａに示すように、オフ時インピーダンス調整回路９６１はコンパレータＥＡでＬＥＤ駆動回路９４に印加されるドライブ電圧ＶＤの電圧値と電圧源ＶＡの電圧値とを比較しており、ドライブ電圧ＶＤの電圧値が、電圧源ＶＡの電圧値より低いときスイッチング素子ＭＡ（ＭＯＳ）をオンにする回路である。
【００１１】
位相制御式調光器２がオフのときはＬＥＤ駆動回路のドライバ電圧ＶＤの電圧値が電圧源ＶＡの電圧値よりも低くなり、コンパレータＥＡからＨＩＧＨ信号がスイッチング素子ＭＡに入力される。これにより、スイッチング素子ＭＡがオンになりオフ時インピーダンス調整部９６１のインピーダンスが抵抗ＲＡ３の抵抗値で決まるインピーダンスとなる。また、位相制御式調光器２がオンのときは、ドライバ電圧ＶＤの電圧値が電圧源ＶＡの電圧値よりも高くなり、コンパレータＥＡからＬＯＷ信号がスイッチング素子ＭＡに入力される。これにより、スイッチング素子ＭＡがオフになり、オフ時インピーダンス調整部９６１のインピーダンスが高くなる。
【００１２】
次に、共振誤作動防止インピーダンス調整部９６２について説明する。位相制御式調光器２がオンしたとき、雑音防止回路のコンデンサＣＬＣとインダクタＬＬＣとの共振現象によって、トライアックＴｒｉ１に流れる電流が振動し、トライアックＴｒｉ１がオフになる場合がある。そこで、共振誤作動防止インピーダンス調整部９６２に電流が流れるようにし、位相制御式調光器２がオフの時にコンデンサＣＬＣに蓄えられたエネルギを逃がし、コンデンサＣＬＣとインダクタＬＬＣとの共振を抑える。なお、共振誤作動防止インピーダンス調整部９６２は、一時的に大電流（例えば、２００μｓ、２００ｍＡ等）を流す必要があり、コンデンサ又はコンデンサと抵抗を含む構成とすることができる。
【００１３】
共振誤作動防止インピーダンス調整部９６２の一例の回路図を図１４Ｂに示す。図１４Ｂに示すように、共振誤作動防止インピーダンス調整部９６２はコンパレータＥＢでＬＥＤ駆動回路９４に印加されるドライブ電圧ＶＤの電圧値と電圧源ＶＢの電圧値とを比較しており、ドライブ電圧ＶＤの電圧値が電圧源ＶＢの電圧値よりも高いときコンパレータＥＢからＨＩＧＨ信号が出力される。コンパレータＥＢからＨＩＧＨ信号が出力されると、スイッチング素子ＭＢがオンになる。
【００１４】
スイッチング素子ＭＢがオンの間、電流源ＩＢに電流が流れ、共振誤作動防止インピーダンス調整部９６２のインピーダンスが低くなる。スイッチング素子ＭＢは、コンデンサＣＢの静電容量と抵抗ＲＢ４の抵抗値によって決まる時定数によってオフになる。スイッチング素子ＭＢがオフになると、電流源ＩＢに電流が流れなくなり、共振誤作動防止インピーダンス調整部９６２のインピーダンスが高くなる。
【００１５】
最後に、トライアック維持インピーダンス調整部９６３について説明する。ＬＥＤモジュール３は消費電力が少ない、すなわち、流れる電流が少なく位相制御式調光器２に流れる電流も少ない。このことから、トライアックＴｒｉ１に流れる電流が保持電流を下回ることがあり、トライアックＴｒｉ１がオフになってしまう、誤作動が発生する場合がある。そこで、トライアック維持インピーダンス調整部９６３は、トライアックＴｒｉ１に流れる電流が少ないとき、インピーダンスを下げ、電流を流すことでトライアックＴｒｉ１に流れる電流を保持電流以上に維持する。
【００１６】
トライアック維持インピーダンス調整部９６３の一例の回路図を図１４Ｃに示す。図１４Ｃに示すように、トライアック維持インピーダンス調整部９６３はオフ時インピーダンス調整部９６１の抵抗ＲＡを電流源ＩＣとした構成であり基本的な動作はオフ時インピーダンス調整部９６１と同様である。トライアック維持インピーダンス調整部９６３は、ドライブ電圧ＶＤと電圧源ＶＣの電圧値を比較し、その結果によって電流源ＩＣに電流が流れ、トライアック維持インピーダンス調整部９６３のインピーダンスが低下する。
【００１７】
以上示したように、インピーダンス調整部としては、抵抗とスイッチ（メカ的に駆動するもの、ＭＯＳ等の半導体いずれでもよい）を用いるもの、定電流制御を行っているＭＯＳ、トランジスタなどの半導体能動素子を用いるものがある。なお、インピーダンス調整部には電流が流れるため、電流引き抜き部と表現されることもある。つまり、インピーダンス調整部に電流が流れることで、位相制御式調光器２は安定動作する（ＬＥＤ照明灯具の調光を正常に行う）ことができる。なお、インピーダンス調整部として、上述した３種のインピーダンス調整部のうち一つが用いられる。また、２種以上のインピーダンス調整部が並列に接続される場合もある。
【００１８】
照明システムにおいて、１つの位相制御式調光器２に複数の照明灯具（ＬＥＤ照明灯具）が接続されることが多い。このような照明システムでは、複数の照明灯具が同時使用されることがある一方、それぞれの照明灯具が単独で使用されることもある。単独使用時において照明灯具を安定点灯させるため、それぞれの照明灯具には、インピーダンス調整部が備えられており、インピーダンス調整部は単独で十分に動作する構成となっている。
【先行技術文献】
【特許文献】
【００１９】
【特許文献１】特開２００６−３１９１７２号公報
【特許文献２】特開２００５−２６１４２号公報
【発明の概要】
【発明が解決しようとする課題】
【００２０】
上述の照明システムでは、照明灯具を単独で用いた場合、位相制御式調光器の安定動作に必要な電流がインピーダンス調整部に流れる構成となっている。このような構成の照明システムにおいて、複数の照明灯具を同時に使用した場合、それぞれの照明灯具に備えられたインピーダンス調整部に調光に必要な電流が流れる。
【００２１】
ここで、インピーダンス調整部に流れる電流は、照明灯具（ＬＥＤ）の点灯に利用されない電流、すなわち、損失電流である。上述の照明システムでは、複数の照明灯具を同時に使用した場合、それぞれの照明灯具のインピーダンス調整部で損失電流が流れ、それだけ、損失電力が大きくなる。
【００２２】
そこで本発明は、複数の照明灯具を同時点灯するときの調光を安定化する、とともに、電力損失を抑えるＬＥＤ駆動回路並びにそれを備えるＬＥＤ照明灯具、ＬＥＤ照明機器、及びＬＥＤ照明システムを提供することを目的とする。
【課題を解決するための手段】
【００２３】
上記目的を達成するため本発明は、位相制御式調光器に接続可能であり、交番電圧を入力してＬＥＤを駆動するＬＥＤ駆動回路であって、前記位相制御式調光器のインピーダンス値を検出するインピーダンス検出手段と、前記インピーダンス検出手段で検出されたインピーダンス値に基づいて前記ＬＥＤ駆動回路のインピーダンスを調整するインピーダンス調整手段とを備えていることを特徴とする。
【００２４】
上記構成において、前記インピーダンス検出手段は、前記インピーダンス調整手段に対し、前記インピーダンスを調整するための調整信号を出力するようにしてもよい。
【００２５】
上記構成において、前記インピーダンス検出手段は一定期間後にインピーダンス検出を停止し、前記インピーダンス検出手段によるインピーダンス検出が停止した後も、前記調整信号の出力を保持する保持手段を備えていてもよい。
【００２６】
上記構成において、前記調整信号がインピーダンス検出手段で検出されるインピーダンス値を表す信号であり、前記インピーダンス調整手段は、前記調整信号と、前記インピーダンス調整手段を流れる電流値とに基づいて、インピーダンス調整値を決定するようにしてもよい。
【００２７】
上記構成において、前記調整信号がインピーダンス検出手段で検出されるインピーダンス値を表す信号であり、前記インピーダンス調整手段は、前記調整信号と、ＬＥＤに電力を供給する電力供給ラインに流れる電流とに基づいて、インピーダンス調整値を決定するようにしてもよい。
【００２８】
上記構成において、前記位相制御式調光器には、複数台の照明灯具が接続可能となっており、前記インピーダンス検出手段は、検出したインピーダンス値に基づいて、前記位相制御式調光器に他の照明灯具が接続されているか否か判別するようにしてもよい。
【００２９】
上記構成において、前記インピーダンス検出手段は、内部に電流を流すことができる構成を有しており、前記インピーダンス検出手段は、前記位相制御式調光器がオフのとき、内部に電流を流し、その電流値の変化によって、インピーダンス値を検出するようにしてもよい。
【００３０】
上記構成において、前記インピーダンス検出手段は、前記位相制御式調光器がオフのとき、一定の期間、前記インピーダンス調整手段のインピーダンス調整量を変化させ、そのときの電流値の変化によってインピーダンス値を検出するようにしてもよい。
【００３１】
上記構成において、前前記インピーダンス検出手段が前記位相制御式調光器に複数台の照明灯具が接続されていると判別しているとき、前記インピーダンス検出手段は、検出したインピーダンス値に基づいて前記位相制御式調光器に接続されている他の照明灯具でインピーダンスを調整しているか否か判別し、前記インピーダンス検出手段によって、他の照明灯具がインピーダンスを調整していないと判別されたとき、前記インピーダンス調整手段がインピーダンス調整を行うようにしてもよい。
【００３２】
上記構成において、前記インピーダンス調整手段は、少なくとも前記位相制御式調光器がオフのときにＬＥＤ駆動回路のインピーダンスを調整するようにしてもよい。
【００３３】
上記構成において、前記インピーダンス調整手段は、少なくとも前記位相制御式調光器がオンした後、一定の期間インピーダンスを調整するようにしてもよい。
【００３４】
上記構成において、前記インピーダンス調整手段は、少なくとも前記位相制御式調光器が低輝度調光を行っているときにインピーダンスを調整するようにしてもよい。
【００３５】
上記目的を達成するために本発明にかかるＬＥＤ照明灯具は上記いずれかの構成のＬＥＤ駆動回路と、ＬＥＤ駆動回路の出力側に接続されたＬＥＤとを備えるようにする。
【００３６】
上記目的を達成するために本発明にかかるＬＥＤ照明機器は複数個の照明灯具を備えており、前記複数個の照明灯具のうち少なくとも一つが上記ＬＥＤ照明灯具となるようにする。
【００３７】
上記目的を達成するために本発明にかかるＬＥＤ照明システムは、上記ＬＥＤ照明機器と、位相制御式調光器とを備え、前記位相制御式調光器の出力側に、前記複数個の照明灯具の入力側が並列接続されるようにする。
【発明の効果】
【００３８】
本発明によると、ＬＥＤ駆動回路において、インピーダンスの変化を検出することで、ＬＥＤ照明灯具を含む複数台の照明灯具が同時に点灯していることを検出し、その検出結果に基づいて、インピーダンスを調整するので、ちらつきや点滅等を抑えるとともに、電力損失を低減させることが可能である。
【図面の簡単な説明】
【００３９】
【図１】本発明にかかるＬＥＤ照明システムの一例を示す図である。
【図２Ａ】本発明にかかるＬＥＤ照明灯具が３台接続されたＬＥＤ照明システムの例を示す図である。
【図２Ｂ】本発明にかかるＬＥＤ照明灯具が１台接続されたＬＥＤ照明システムの例を示す図である。
【図２Ｃ】本発明にかかるＬＥＤ照明灯具が１台接続されたＬＥＤ照明システムの他の例を示す図である。
【図３Ａ】本発明にかかるＬＥＤ駆動回路の一例を示す図である。
【図３Ｂ】図３Ａに示すＬＥＤ駆動回路の一例の回路図である。
【図４Ａ】本発明にかかるＬＥＤ駆動回路の一例を示す図である。
【図４Ｂ】図４Ａに示すＬＥＤ駆動回路の変形例を示す図である。
【図５】本発明にかかるＬＥＤ駆動回路のさらに他の例を示す図である。
【図６Ａ】本発明にかかるＬＥＤ駆動回路のさらに他の例を示す図である。
【図６Ｂ】図６Ａに示すＬＥＤ駆動回路を示す回路図である。
【図６Ｃ】図６Ａに示すＬＥＤ駆動回路の変形例を示す図である。
【図６Ｄ】図６Ｃに示すＬＥＤ駆動回路を示す回路図である。
【図７】本発明にかかるＬＥＤ駆動回路の他の例を示す図である。
【図８Ａ】位相制御式調光器から出力される電圧の時間による変化を示すグラフである。
【図８Ｂ】ＬＥＤ照明灯具の検出タイミング調整部からインピーダンス検出部に送られる検出開始信号のタイミングを示す図である。
【図９】本発明にかかるＬＥＤ駆動回路の他の例を示す図である。
【図１０】本発明にかかるＬＥＤ照明灯具、本発明にかかるＬＥＤ照明機器、及び本発明にかかるＬＥＤ照明システムの概略図である。
【図１１】本発明にかかるＬＥＤ照明システムの概略図である。
【図１２】本発明にかかるＬＥＤ照明灯具の他の概略構造例を示す図である。
【図１３】交流電源使用のＬＥＤ照明灯具を調光制御することができるＬＥＤ照明システムの従来例を示す図である。
【図１４Ａ】従来のインピーダンス調整部を示す回路図である。
【図１４Ｂ】従来のインピーダンス調整部を示す回路図である。
【図１４Ｃ】従来のインピーダンス調整部を示す回路図である。
【発明を実施するための形態】
【００４０】
以下に本発明の実施形態について図面を参照して説明する。
【００４１】
（第１の実施形態）
図１は本発明にかかるＬＥＤ照明システムの一例を示す図である。図１において図１３と同一の部分には同一の符号を付し詳細な説明を省略する。図１に示すように、ＬＥＤ照明システムは、位相制御式調光器２と、本発明にかかるＬＥＤ照明灯具Ｌ１とを備えている。
【００４２】
ＬＥＤ照明灯具Ｌ１は、ＬＥＤ駆動回路４と、ＬＥＤモジュール３とを備えている。ＬＥＤ駆動回路４は、本発明にかかるＬＥＤ駆動回路の一例であり、ダイオードブリッジＤＢ１と、ＬＥＤ電流制御回路５と、インピーダンス調整部６と、インピーダンス検出部７とを備えている。図１に示すようにＬＥＤ駆動回路４では、ダイオードブリッジＤＢ１の出力側にＬＥＤ電流制御回路５が接続されている。また、ダイオードブリッジＤＢ１の入力側は、交流電源１と、位相制御式調光器２と接続されている（図１等参照）。
【００４３】
インピーダンス調整部６はダイオードブリッジＤＢ１の出力両端間に設けられた回路である。インピーダンス調整部６は、ＬＥＤ駆動電流をＬＥＤモジュール３（ＬＥＤ電流制御回路５）にダイオードブリッジＤＢ１の出力両端間のインピーダンスを調整する。インピーダンス調整部６でインピーダンス調整を行うことで、ダイオードブリッジＤＢ１の出力両端間に流れる電流を調整し、ＬＥＤ駆動回路４と接続する位相制御式調光器２の調光の安定性を向上させる。
【００４４】
インピーダンス検出部７はインピーダンス調整部６と同様にダイオードブリッジＤＢ１の出力両端間に設けられている。インピーダンス検出部７は位相制御式調光器２のインピーダンスを検出している。
【００４５】
インピーダンス検出部７が検出したインピーダンス値に基づいてインピーダンスの調整（低下）が必要であると判断した場合（例えば、検出したインピーダンス値が予め与えられた基準値よりも高い場合）、インピーダンス検出部７は検出されたインピーダンス値に基づいてインピーダンスを調整する（インピーダンスを低下させる）信号（調整信号）を、インピーダンス調整部６に送出する。インピーダンス調整部６は調整信号を受信することで、インピーダンスの調整（低下）を行う。一方、インピーダンス検出部７が検出したインピーダンス値に基づいてインピーダンス調整が不要であると判断すると、インピーダンス調整部６への調整信号の送出を行わない。これにより、インピーダンス調整部６はインピーダンスの調整を行わない。
【００４６】
このインピーダンス調整部６によるインピーダンスの調整値は、インピーダンス調整部６に電流を流して、位相制御式調光器２のトライアックＴｒｉ１が保持電流を維持できるように設定される。
【００４７】
また、インピーダンス調整部６は、受信した調整信号によって、インピーダンス調整値を決定してもよい。すなわち、インピーダンス検出部７で検出したインピーダンス値によって、インピーダンス調整部６で調整するインピーダンス値が決定されるようにしている。このことにより、インピーダンス調整部６において、インピーダンス値の過不足がないように、調整を行うことので、調光を安定化させることができるとともに、不要な電力損失を低減することが可能である。
【００４８】
また、インピーダンス調整部６が、位相制御式調光器２がオフのときに、インピーダンスの調整（低下）を行う構成としてもよい。このとき、インピーダンス検出部７がインピーダンス値を検出しており、そのインピーダンス値に基づいてインピーダンス調整部６にインピーダンス調整のための調整信号を送る。インピーダンス調整部６は調整信号を受け、インピーダンス調整を行う。これにより、インピーダンス調整部６はＬＥＤ駆動回路４のインピーダンスをＣＬＣのインピーダンスよりも十分に小さくなるように調整でき、トライアックＴｒｉ１の立上り電圧が遅れるのを抑えることができる。また、インピーダンス調整部６は、インピーダンス検出部７で検出したインピーダンス値に基づいてインピーダンスを調整するので、インピーダンス値の過不足が発生しないように、インピーダンス調整を行う。これにより、調光を安定化させることができるとともに、不要な電力損失を低減することができる。
【００４９】
さらに、インピーダンス調整部６が、位相制御式調光器２がオンになったとき、一定の期間、インピーダンスの調整（低下）を行う構成としてもよい。このとき、インピーダンス検出部７が位相制御式調光器２のインピーダンス値を検出しており、このインピーダンス値に基づいてインピーダンス調整部６にインピーダンス調整のための調整信号を送る。インピーダンス調整部６は調整信号を受け、インピーダンス調整を行い、インピーダンス調整部６には電流が流れる。これにより、位相制御式調光器２のコンデンサＣＬＣとインダクタＬＬＣの共振により、トライアックＴｒｉ１に流れる電流が保持電流を下回るのを抑制することができる。また、インピーダンス調整部６は、インピーダンス検出部７で検出したインピーダンス値に基づいてインピーダンスを調整するので、インピーダンス値の過不足が発生しないように、インピーダンス調整を行う。これにより、調光を安定化させることができるとともに、不要な電力損失を低減することができる。
【００５０】
また、インピーダンス調整部６は、位相制御式調光器２が低輝度調光を行っているとき、インピーダンスの調整（低下）を行う構成でもよい。なお、低輝度調光時に調光が不安定になりやすいが、輝度が上がっても、調光を安定化させるため、インピーダンス調整部６を駆動し続けてもよい。
【００５１】
（第２の実施形態）
本発明にかかるＬＥＤ照明システムは、１台の位相制御式調光器に対して複数台の照明灯具を接続することが可能な構成を有している。図２Ａは複数台のＬＥＤ照明灯具が接続されている。なお、図２Ａにおいて、位相制御式調光器２の構成は、図１に示すものと同じ構成であるので、詳細な説明は省略する。図２Ａに示すように、ＬＥＤ照明システムは、１台の位相制御式調光器２に本発明にかかるＬＥＤ照明灯具Ｌ１、Ｌ２、Ｌ３が並列で接続されている。ＬＥＤ照明システムにおいて、ＬＥＤ照明灯具Ｌ１、Ｌ２、Ｌ３は、メカニカルスイッチ又はＭＯＳ等の半導体スイッチング素子等で選択的に点灯させることが可能な構成である。
【００５２】
図２Ａに示すＬＥＤ照明システムにおいて、ＬＥＤ照明灯具Ｌ１のみを点灯させる場合があるとする。位相制御式調光器２がオンになったとき、ＬＥＤ照明システムにおいて、ＬＥＤ照明灯具Ｌ１のみにＬＥＤ駆動電流が供給されている。
【００５３】
ＬＥＤ照明灯具Ｌ１のインピーダンス検出部７は位相制御式調光器２のインピーダンス値を検出する。このとき、他のＬＥＤ照明灯具Ｌ２、Ｌ３は点灯されておらず、これらのＬＥＤ照明灯具Ｌ２、Ｌ３ではインピーダンスの調整（低下）を行っていない。この状態において、ＬＥＤ照明灯具Ｌ１のインピーダンス検出部７は検出したインピーダンス値より、ＬＥＤ照明灯具Ｌ２、Ｌ３でインピーダンスの調整（低下）が行われていないと判断する。
【００５４】
インピーダンス検出部７は、他のＬＥＤ照明灯具Ｌ２、Ｌ３ではインピーダンスの調整（低下）を行っていないと判断すると、ＬＥＤ照明灯具Ｌ１のインピーダンス調整部６に調整信号を送る。インピーダンス調整部６は、調整信号を受信するとその信号に基づいて、インピーダンスを調整し（低下させ）、インピーダンス調整部６に電流が流れるようにし（電流を引き抜き）、調光の安定性向上を行う。
【００５５】
このインピーダンス調整部６によるインピーダンスの調整値は、インピーダンス調整部６に電流を流すことで、位相制御式調光器２のトライアックＴｒｉ１が保持電流を維持できる値に設定されている。
【００５６】
また、ＬＥＤ照明システムでは、ＬＥＤ照明灯具Ｌ２又はＬ３の少なくとも一つが点灯中に、ＬＥＤ照明灯具Ｌ１を点灯させる場合もある。例えば、ＬＥＤ照明灯具Ｌ２が点灯中にＬＥＤ照明灯具Ｌ１を点灯させるとすると、ＬＥＤ照明灯具Ｌ２はすでに点灯しているので、インピーダンスの調整（低下）が行われている。
【００５７】
このとき、ＬＥＤ照明灯具Ｌ１のインピーダンス検出部７は、位相制御式調光器２のインピーダンスを検出する。ＬＥＤ照明灯具Ｌ２でインピーダンス調整（低下）が行われているので、インピーダンス検出部７は検出したインピーダンス値より、ＬＥＤ照明灯具Ｌ１以外の照明灯具（ここではＬＥＤ照明灯具Ｌ２）でインピーダンス調整（低下）が行われていると判断し、インピーダンス調整部６に調整信号を送らない。これにより、インピーダンス調整部６はインピーダンスの調整（低下）を行わず、ＬＥＤ照明灯具Ｌ１において、調光の安定化のための電流の引き抜きが行われない。
【００５８】
このように、一台の位相制御式調光器２に複数台のＬＥＤ照明灯具Ｌ１、Ｌ２、Ｌ３が接続されているとき、複数台のＬＥＤ照明灯具Ｌ１、Ｌ２、Ｌ３のそれぞれでインピーダンス調整（低下）が行われることを回避し、不要な電力損失を低減することが可能である。
【００５９】
なお、上述の例では、１台の位相制御式調光器２に３台の本発明にかかるＬＥＤ照明灯具が接続されているものについて説明したが、これに限定されるものではなく、２台の本発明にかかるＬＥＤ照明灯具又は４台以上の本発明にかかるＬＥＤが接続されていてもよい。
【００６０】
また、例えば、ＬＥＤ照明灯具Ｌ１、Ｌ２、Ｌ３の全てが点灯状態から、ＬＥＤ照明灯具Ｌ２、Ｌ３が消灯される場合もある。そして、ＬＥＤ照明灯具Ｌ１でインピーダンスの調整（低下）を行っていないときについて説明する。
【００６１】
ＬＥＤ照明灯具Ｌ１のインピーダンス検出部７は、インピーダンスの検出を行っている。ＬＥＤ照明灯具Ｌ２、Ｌ３が消灯されると、インピーダンス検出部７は検出したインピーダンスに基づいて、他のＬＥＤ照明灯具Ｌ２、Ｌ３のいずれかで行われていたインピーダンスの調整（低下）が行われなくなったと判断する。そこで、インピーダンス検出部７は、インピーダンス調整部６に調整信号を送る。インピーダンス調整部６の動作は上述したものと同じであるので省略する。以上のように、インピーダンス検出部７を備えていることで、位相制御式調光器２のインピーダンスの調整（低下）を確実に行うことができ、調光が不安定になるのを抑制することができる。また、必要に応じてインピーダンスの調整（低下）を行うので、不要な損失電力を低減することも可能である。
【００６２】
また、図２Ｂ、図２Ｃは図２ＡのＬＥＤ照明システムの他の例を示す図である。図２Ｂに示すように、ＬＥＤ照明システムでは、３台の照明灯具のうち、１台が本発明にかかるＬＥＤ照明灯具Ｌ１で、残り２台のうち、１台が本発明のＬＥＤと別の構成のＬＥＤ照明灯具Ｌｏ、残りが白熱電球Ｈ１である。
【００６３】
以上の構成のＬＥＤ照明システムで、別のＬＥＤ照明灯具Ｌｏ又は白熱電球Ｈ１の少なくとも一方が点灯中に、ＬＥＤ照明灯具Ｌ１が点灯する場合、インピーダンス検出部７は位相制御式調光器２のインピーダンス値を検出する。インピーダンス検出部７は、検出したインピーダンス値より、別のＬＥＤ照明灯具Ｌｏ及び（又は）白熱電球Ｈ１によってインピーダンスが調整（低下）されていると判断し、インピーダンス調整部６への調整信号の送信が行われず、インピーダンス調整部６はインピーダンスの調整（低下）を行わない。これにより、調光を安定化させることができるとともに、不要な電力損失を抑えることが可能である。
【００６４】
また、図２Ｃに示すようにＬＥＤ照明システムに本発明にかかるＬＥＤ照明灯具Ｌ１と２台の白熱電球Ｈ１、Ｈ２とが接続されている場合もある。この場合も、図２Ｂに示す場合と同様に、ＬＥＤ照明灯具Ｌ１のインピーダンス検出部７は、検出したインピーダンス値に基づいて、白熱電球Ｈ１及び（又は）白熱電球Ｈ２によってインピーダンスが調整（低下）されているかどうか判断する。インピーダンス検出部７は、インピーダンスが調整（低下）されていないと判断したとき、インピーダンス調整部６に調整信号を送る。そして、インピーダンス調整部６は、インピーダンスの調整（低下）を行い、電流の引き抜きを行う。インピーダンス検出部はインピーダンスが調整（低下）されていると判断したとき、インピーダンス調整部６に調整信号を送らない。すなわち、不要なインピーダンス調整（低下）を行わない。
【００６５】
以上のように本発明にかかるＬＥＤ照明システムでは、調光を安定化させることができるとともに、不要な電力損失を低減することが可能である。なお、以下の各実施形態は、本発明にかかるＬＥＤ駆動回路についてであるが、各ＬＥＤ駆動回路は、上述のＬＥＤ照明システム、ＬＥＤ照明灯具に利用可能であることはいうまでもない。
【００６６】
（第３の実施形態）
次に本発明にかかるＬＥＤ駆動回路の一例について図面を参照して説明する。図３Ａは本発明にかかるＬＥＤ駆動回路の一例を示す図である。なお、図３Ａにおいて図１３と同一の部分には同一の符号を付し詳細な説明を省略する。図３Ａに示すＬＥＤ駆動回路４Ａは、インピーダンス調整部６Ａを備えている。インピーダンス調整部６Ａは、ｎ型ＭＯＳＦＥＴ６１と、抵抗６２とを備えている。抵抗６２はｎ型ＭＯＳＦＥＴ６１のドレイン電極に接続されている。そして、ｎ型ＭＯＳＦＥＴ６１のゲート電極には、制御回路６４が接続している。
【００６７】
ｎ型ＭＯＳＦＥＴ６１は通常ＯＦＦ状態であり、ドレイン−ソース間に電流が流れていない。一方で、ｎ型ＭＯＳＦＥＴ６１は、制御回路６４からの調整信号（電圧信号）をゲート電極に受けることでオンになり、ドレインソース間に電流が流れる。すなわち、インピーダンス調整部６のインピーダンスが低下する。
【００６８】
インピーダンス検出部７は位相制御式調光器２のインピーダンスを検出し、検出したインピーダンス値を表す信号を制御回路６４に送出する。制御回路６４は、ＬＥＤ照明システム（他の照明灯具、図２Ａ〜２Ｃ等参照）でインピーダンスが調整（低下）されているかどうか判断する。制御回路６４は、ＬＥＤ照明システムでインピーダンスが調整（低下）されていると判断したとき、制御回路６４は、ｎ型ＭＯＳＦＥＴ６１のゲート電極に調整信号を送る。これにより、ｎ型ＭＯＳＦＥＴ６１はオンになり、ドレイン−ソース間に電流が流れ、インピーダンス調整部６Ａのインピーダンス値が低下する。
【００６９】
一方で、制御回路６４が、インピーダンス検出部７が検出したインピーダンス値に基づいて、ＬＥＤ照明システムでインピーダンス調整（低下）が行われていないと判断すると、制御回路６４は調整信号の送出を行わない。これにより、ｎ型ＭＯＳＦＥＴ６１はオフ状態を維持するので、インピーダンス調整部６Ａではインピーダンスの調整（低下）が行われない。
【００７０】
以上のことより、ＬＥＤ駆動回路４Ａでは、インピーダンス調整部６Ａに不要な電流を流すのを抑制することができる。また、ＬＥＤ照明システムにおいて、制御回路６４で、インピーダンスの調整（低下）が必要か不要か判断している。これにより、ＬＥＤ駆動回路４Ａを用いることで、調光を安定化させることができるとともに、不要な損失電力を低減することが可能である。
【００７１】
本実施形態にかかるＬＥＤ駆動回路の一例の回路図を図３Ｂに示す。図３Ｂに示すように、制御回路６４は、コンパレータＥＡの非反転側端子に電圧源ＶＡからの信号が、反転側端子にインピーダンス検出部７からの信号（インピーダンス値を表す信号）が入力されている。インピーダンス検出部７からの信号で強制的にコンパレータＥＡからＬＯＷ信号を出力する構成となっている。
【００７２】
なお、本実施形態では、制御回路６４がインピーダンス調整部６Ａの外部に形成されているものとしているが、制御回路６４がインピーダンス調整部６Ａに含まれる構成（例えば、ＩＣパッケージ等）としてもよい。
【００７３】
（第４の実施形態）
次に本発明にかかるＬＥＤ駆動回路の一例について図面を参照して説明する。図４Ａは本発明にかかるＬＥＤ駆動回路の一例を示す図である。なお、図４Ａにおいて図３と同一の部分には同一の符号を付し詳細な説明を省略する。図４Ａに示すＬＥＤ駆動回路４Ｂは、インピーダンス調整部６Ｂと、インピーダンス検出部７とを備えている。
【００７４】
インピーダンス調整部６Ｂはインピーダンス調整部６Ａと同様、ｎ型ＭＯＳＦＥＴ６１と、抵抗６２とを組み合わせた構成になっている。そして、インピーダンス調整部６Ｂに流れる電流値を検出する電流検出回路６３と、ｎ型ＭＯＳＦＥＴ６１を動作させる制御回路６５とを備えている。
【００７５】
インピーダンス検出部７は、検出したインピーダンス値の情報を含む調整信号を制御回路６５に送信する。インピーダンス調整部６Ｂのゲート電極には、制御回路６５が接続されている。制御回路６５には、電流検出回路６３が検出したインピーダンス調整部６Ｂの電流値の信号と、インピーダンス検出部７が検出したインピーダンス値の情報を含む調整信号とが入力されている。
【００７６】
制御回路６５は、インピーダンス検出部７より調整信号を受けると、インピーダンス値よりインピーダンスの調整（低下）が必要かどうか判断する。制御回路はインピーダンスの調整（低下）が必要であると判断すると、ｎ型ＭＯＳＦＥＴ６１のゲート電極に駆動信号を送りｎ型ＭＯＳＦＥＴ６１をオンにする。このとき、インピーダンス調整部６Ｂには電流が流れる。このインピーダンス調整部６Ｂに流れている電流値は、電流検出回路６３で検出されており電流値の信号として制御回路６５に送られている。
【００７７】
制御回路６５は、電流検出回路６３から受信した信号より、インピーダンス調整部６Ｂに流れる電流値を検知し、調光の安定化に必要な電流値と比較する。制御回路６５は、インピーダンス調整部６Ｂに流れる電流値が調光の安定化に必要な電流値と略同じであると判断した場合、現在の駆動信号をｎ型ＭＯＳＦＥＴ６１のゲート電極に送り続ける。一方、インピーダンス調整部６Ｂに流れる電流値が、調光の安定化に必要な電流よりも大きい場合、制御回路６５は、ｎ型ＭＯＳＦＥＴ６１に送る駆動信号を変化させ（ゲート電圧を下げ）、ｎ型ＭＯＳＦＥＴ６１に流れる電流が制限し、インピーダンス調整部６Ｂのインピーダンスが増大する。
【００７８】
なお、ＬＥＤ駆動回路４Ｂでは、通常、確実に調光の安定化を図るため、インピーダンス調整部６Ｂのインピーダンスを大きく低下させることが多い。ＬＥＤ駆動回路４Ｂの特性より制御回路６５はインピーダンス調整部６Ｂに流れる電流値が、安定化に必要な電流値と同じか大きいと仮定してインピーダンス調整部６Ｂに調整信号を送っているが、インピーダンス調整部６Ｂに流れる電流値が安定化に必要な電流値よりも小さい場合も考慮して駆動信号を送るようにしてもよい。
【００７９】
ＬＥＤ照明システムにおいて、（例えば、他の照明灯具で）インピーダンスの調整（低下）がなされている場合、インピーダンス検出部７から送られてきた調整信号より、制御回路６５はインピーダンスの調整（低下）が不要であると判断する。制御回路６５は、ｎ型ＭＯＳＦＥＴ６１に駆動信号を送出しない。この状態において、ｎ型ＭＯＳＦＥＴ６１はオフ状態のままであり、インピーダンス調整部６Ｂはインピーダンスが高いままで、電流が流れない。
【００８０】
以上に示したように、ＬＥＤ駆動回路４Ｂによると、インピーダンスを調整（低下）する必要がある場合であっても、調光を安定させるための電流が必要以上に流れるのを抑制することが可能である。ＬＥＤ駆動回路４Ｂを用いることで、調光を安定化させることができるとともに、不要な損失電力を低減することが可能である。
【００８１】
図４Ｂに示すように、インピーダンス調整部６０Ｂとして、ＭＯＳスイッチ６０１と、コンデンサ６０２とを用いた構成としてもよい。この構成の場合、制御回路６５でＭＯＳスイッチ６０１を動作させ、コンデンサ６０２を開放状態とすることで、インピーダンス調整部６０Ｂのインピーダンスを上昇させ、インピーダンス調整部６０Ｂを流れる電流値を低減することが可能である。
【００８２】
なお、ＬＥＤ駆動回路４Ｂにおいて、電流検出回路６３、制御回路６５がインピーダンス調整部の一部であるとしているが、これに限定されるものではなく、インピーダンス調整部とは別に備えられていてもよい。
【００８３】
（第５の実施形態）
図５は本発明にかかるＬＥＤ駆動回路のさらに他の例を示す図である。なお、図５において図３と同一の部分には同一の符号を付し詳細な説明を省略する。図５に示すＬＥＤ駆動回路４Ｃは、インピーダンス調整部６Ｃと、インピーダンス検出部７とを備えている。
【００８４】
インピーダンス調整部６Ｃはインピーダンス調整部６Ａと同様、ｎ型ＭＯＳＦＥＴ６１と、抵抗６２とを組み合わせた構成になっている。そして、インピーダンス調整部６Ｃは、ＬＥＤ電流制御回路５に駆動電力を供給する電力供給ラインＬＮ１の電流値を検出する電流検出回路６６と、ｎ型ＭＯＳＦＥＴ６１を動作させる制御回路６５とを備えている。また、インピーダンス検出部７は、位相制御式調光器２のインピーダンス値を検出し、その値を表す調整信号を制御回路６５に送信する。
【００８５】
インピーダンス調整部６Ｃのゲート電極には、制御回路６５が接続されている。制御回路６５には、電流検出回路６６が検出した電力供給ラインＬＮ１の電流値の信号と、インピーダンス検出部７が検出したインピーダンス値の信号とが入力される。
【００８６】
制御回路６５は、インピーダンス検出部７からの調整信号と、電流検出回路６６からのＬＥＤ駆動電流の電流値の信号とに基づいて、インピーダンス調整部６Ｃでのインピーダンスの調整（低下）が必要であるか判断する。制御回路６５は、インピーダンスの調整（低下）が必要であると判断すると、ｎ型ＭＯＳＦＥＴ６１のゲート電極に駆動信号を送りｎ型ＭＯＳＦＥＴ６１をオンにする。このとき、インピーダンス調整部６Ｃには電流が流れる。
【００８７】
たとえば、ＬＥＤ駆動回路４Ｃにおいて、ＬＥＤモジュール３を低輝度で調光する場合がある。このとき、ＬＥＤモジュール３を駆動するためのＬＥＤ駆動電流の電流値が小さく、電力供給ラインＬＮ１に流れる電流の電流値も小さくなる、すなわち、ＬＥＤ駆動回路４Ｃを流れる電流の電流値が小さくなる。ＬＥＤ駆動回路４Ｃに流れる電流の電流値が小さいと、位相制御式調光器２のトライアックＴｒｉ１に流れる電流値を、トライアックＴｒｉ１の保持電流値に維持することが難しい。
【００８８】
そこで、インピーダンス調整部６Ｃは、電流検出回路６６で電力供給ラインＬＮ１に流れる電流値を検出し、その電流値を制御回路６５に送る。そして、制御回路６５は、電力供給ラインＬＮ１に流れている電流の電流値が、トライアックＴｒｉ１が保持電流を維持可能な電流値であるかどうか判断し、トライアックＴｒｉ１が保持電流の維持が困難であると判断したときは、ｎ型ＭＯＳＦＥＴ６１のゲート電極に駆動信号を送信し（電圧を印加し）、ｎ型ＭＯＳＦＥＴ６１のドレイン−ソース間に電流を流す（増やす）。
【００８９】
ｎ型ＭＯＳＦＥＴ６１に電流が流れる（増える）ことで、電力供給ラインＬＮ１に流れる電流を増やすことができ、トライアックＴｒｉ１に保持電流値の電流を流すことができる。なお、制御回路６５は、電流検出回路６６からの電流値によって、調整信号（電圧）を調整し、ｎ型ＭＯＳＦＥＴ６１に流れる電流を調整（インピーダンス調整部６Ｃのインピーダンスを調整）している。
【００９０】
すなわち、電力供給ラインＬＮ１を流れる電流値が、トライアックＴｒｉ１に保持電流を流すために必要な電流値と略同じ場合、制御回路６５は、ｎ型ＭＯＳＦＥＴ６１に流れる電流値を維持するため、現在の駆動信号をｎ型ＭＯＳＦＥＴ６１のゲート電極に送り続ける。一方、電力供給ラインＬＮ１を流れる電流値が、トライアックＴｒｉ１に保持電流を流すために必要な電流値よりも大きい場合、制御回路６５は、ｎ型ＭＯＳＦＥＴ６１に送る調整信号を変化させ（ゲート電圧を下げ）、ｎ型ＭＯＳＦＥＴ６１に流れる電流を制限する。このようにして、インピーダンス調整部６Ｃはインピーダンスの調整を行う。
【００９１】
また、制御回路６５は、インピーダンス検出部７からの調整信号も受信している。インピーダンス検出部７から受信した調整信号より、位相制御式調光器２に接続されている他の照明灯具でインピーダンスの調整（低下）が行われていると判断したときは、ｎ型ＭＯＳＦＥＴ６１のゲート電極に駆動信号を送信せず、ｎ型ＭＯＳＦＥＴ６１をオフの状態で維持する。
【００９２】
なお、ＬＥＤ駆動回路４Ｃでは、通常、確実に調光の安定化を図るため、インピーダンスを調整（低下）させるとき、インピーダンス調整部６Ｃのインピーダンスを大きく低下させることが多い。ＬＥＤ駆動回路４Ｃの特性より制御回路６５はＬＥＤ駆動電流の電流値が、安定化に必要な電流値と同じか大きいと仮定してインピーダンス調整部６Ｃに駆動信号を送っているが、ＬＥＤ駆動電流の電流値が安定化に必要な電流値よりも小さい場合も考慮してインピーダンスを下げる駆動信号を送るようにしてもよい。
【００９３】
以上に示したように、ＬＥＤ駆動回路４Ｃによると、インピーダンスを調整（低下）する必要がある場合であっても、調光を安定させる電流の電流値を低減することが可能である。これにより、ＬＥＤ駆動回路４Ｃを用いることで、調光を安定化させることができるとともに、不要な損失電力を低減することが可能である。
【００９４】
なお、ＬＥＤ駆動回路４Ｃにおいて、電流検出回路６６、制御回路６５がインピーダンス調整部の一部であるとしているが、これに限定されるものではなく、インピーダンス調整部とは別に備えられていてもよい。
【００９５】
（第６の実施形態）
図６Ａは本発明にかかるＬＥＤ駆動回路のさらに他の例を示す図である。なお、図６Ａにおいて図１と同一の部分には同一の符号を付し詳細な説明を省略する。図６Ａに示すＬＥＤ駆動回路４Ｄは、インピーダンス調整部６Ｄと、インピーダンス検出部７Ｄとを備えている。
【００９６】
図６Ａに示すように、インピーダンス検出部７Ｄは、電流引き抜き回路７１と、インピーダンス検出回路７２とを備えている。電流引き抜き回路７１は、位相制御式調光器２がオンしたとき、トライアックＴｒｉ１に流れる電流の振動を検出する回路である。電流引き抜き回路７１は、短い時間（例えば２００μｓ）に電流が流れる回路である。電流引き抜き回路７１は、例えば、従来のオフ時インピーダンス調整部と同じ構成とすることができる。そして、インピーダンス検出回路７２は、電流引き抜き回路７１に流れる電流値に基づいて、インピーダンスを検出する。
【００９７】
例えば、ＬＥＤ照明システムにＬＥＤ駆動回路４Ｄを含むＬＥＤ照明灯具だけが接続されている場合、或いは、複数台接続されている照明灯具のうち、ＬＥＤ駆動回路４Ｄを含むＬＥＤ照明灯具だけが点灯される場合がある。
【００９８】
この場合、位相制御式調光器２のトライアックＴｒｉ１に流れる電流が振動し、ＬＥＤ駆動回路４Ｄを含むＬＥＤ照明灯具のインピーダンスが大きく低下する。これにより、電流引き抜き回路７１に電流が流れる。インピーダンス検出回路７２は、電流引き抜き回路７１に流れた電流と、予め与えられている基準電流とを比較することで、位相制御式調光器２のオンによって、ＬＥＤ駆動回路４Ｄを含むＬＥＤ照明灯具だけの点灯かどうか判断する。インピーダンス検出回路７２は、ＬＥＤ駆動回路４Ｄを含むＬＥＤ照明灯具だけがオンになったと判断したとき、ＬＥＤ照明灯具インピーダンス調整部６に調整信号を送出し、インピーダンスは低下する。これにより、位相制御式調光器２がオンになったときの共振によるちらつきや点滅を抑えることができる。
【００９９】
また、インピーダンス検出回路７２がＬＥＤ駆動回路４Ｄを含むＬＥＤ照明灯具以外の照明灯具が予めオンになっていたと判断した場合、インピーダンス検出回路７２は、他の照明灯具でインピーダンスの調整（低下）の操作が行われていると判断し、インピーダンス調整部６に調整信号を送らない。インピーダンス調整部６Ｄではインピーダンスの調整（低下）が行われない。
【０１００】
このように、インピーダンス検出部７Ｄからの調整信号に基づいて、インピーダンス調整部６がインピーダンスの調整を行うので、調光を安定化させることができるとともに、不要な電力損失を低減することが可能である。
【０１０１】
図６Ａに示すＬＥＤ駆動回路の一例の回路図を図６Ｂに示す。図６Ｂに示すように、ＬＥＤ駆動回路４Ｄは、インピーダンス調整部６、電流引き抜き回路７１、インピーダンス検出回路７２とを備えている。上述しているように、電流引き抜き回路７１とインピーダンス検出回路７２とは、インピーダンス検出部７Ｄに備えられている。
【０１０２】
電流引き抜き回路７１は、ＬＥＤ駆動回路４Ｄのドライバ電圧と電圧源ＶＡ２の電圧とを比較しており、ドライバ電圧の電圧値が電圧源ＶＡ２の電圧値（例えば１０Ｖとする）を超えたとき、コンパレータＥＡ２はＨＩＧＨ信号を出力する。コンパレータＥＡ２からの出力信号は、パルス回路ＰＬに入力されている。パルス回路ＰＬは入力信号がＬＯＷからＨＩＧＨに変化したとき、一定時間ＨＩＧＨ信号を出力する回路である。なお、電流引き抜き回路７１において、パルス回路ＰＬは入力信号がＬＯＷからＨＩＧＨに変わった一瞬（短い時間、例えば、２００μｓ程度）、ＨＩＧＨ信号を出力する回路である。すなわち、電流引き抜き回路７１では、ドライバ電圧が電圧源ＶＡ２の電圧を超えた一瞬、抵抗ＲＡ４を通じて電流を引き抜く。
【０１０３】
インピーダンス検出回路７２は、ラッチ回路Ｌ１とアンド回路ＡＮ２とを備えている。アンド回路ＡＮ２には、コンパレータＥＡ３からのインピーダンス値を表す信号と、パルス回路ＰＬからのパルス信号が入力されている。そして、アンド回路ＡＮ２の出力は、ラッチ回路Ｌ１のセット端子に入力されている。
【０１０４】
そして、ＬＥＤ駆動回路４Ｄのインピーダンスが高ければ、コンパレータＥＡ３の反転入力端子に入力される電圧が下がり、電圧源ＶＡ３よりも低くなる。これにより、コンパレータＥＡ３からＨＩＧＨ信号が出力される（なお、電圧源ＶＡ３の電圧値をＶとする）。一方で、電流引き抜き回路７１で電流を引き抜いたとき、ＬＥＤ駆動回路４Ｄのインピーダンスが低ければ、コンパレータＥＡ３の反転入力端子に入力される電圧が下がらず、電圧源ＶＡ３よりも高くなり、コンパレータＥＡ３からＬＯＷ信号が出力される。
【０１０５】
インピーダンス検出回路７２では、電流引き抜き回路７１で電流を引き抜いたとき（パルス回路ＰＬがＨＩＧＨ信号を出力している期間）、ＬＥＤ駆動回路４Ｄのインピーダンスが高ければ、パルス回路からの信号及びコンパレータＥＡ３からの信号がともにＨＩＧＨ信号となり、アンド回路ＡＮ２からＨＩＧＨ信号が出力される。アンド回路ＡＮ２からのＨＩＧＨ信号はラッチ回路Ｌ１のセット端子に送出され、ラッチ回路Ｌ１からＨＩＧＨ信号が出力される。逆に、電流引き抜き回路７１で電流を引き抜いたとき、ＬＥＤ駆動回路４Ｄのインピーダンスが低ければ、コンパレータＥＡ３からのＬＯＷ信号が出力され、ラッチ回路Ｌ１からＨＩＧＨ信号が出力されない。
【０１０６】
すなわち、ＬＥＤ駆動回路４Ｄでは、電流を引き抜いたとき、ＬＥＤ駆動回路４Ｄのインピーダンスが高ければ（ＬＥＤ駆動回路４Ｄのドライバ電圧が低くければ）、インピーダンス調整部６のｎ型ＭＯＳＦＥＴ６１がオンになりインピーダンスの調整（低下）が行われる。逆に、電流を引き抜いたとき、ＬＥＤ駆動回路４Ｄのインピーダンスが低ければ8ＬＥＤ駆動回路のドライバ電圧が高ければ）、インピーダンス調整部６Ｄのｎ型ＭＯＳＦＥＴ６１がオンにならない。なお、ラッチ回路Ｌ１はＬＥＤ駆動回路４Ｄのドライバ電圧が０Ｖになるときリセットされる回路であり、ラッチ回路Ｌ１は交流の周期でリセットされる。
【０１０７】
図６Ｃに示すように、ＬＥＤ駆動回路４０Ｄが、インピーダンス調整部６０Ｅとインピーダンス検出部７０Ｄとを備えていてもよい。図６Ｃに示すように、ＬＥＤ駆動回路４０Ｄはインピーダンス検出部７０Ｄがインピーダンス調整部６０Ｄのインピーダンス値を検出できる構成を有している。また、インピーダンス調整部６０Ｄは、短い時間（２００μｓ）にインピーダンスの調整（低下）を行い、電流を流すように動作することが可能になっている。インピーダンス検出部７０Ｄは、インピーダンス調整部６０Ｄが短時間にインピーダンス調整を行ったときにインピーダンス値を検出し、そのインピーダンス値に基づいて、インピーダンス調整部６０Ｄのインピーダンスの調整（低下）を行う。
【０１０８】
図６Ｃに示すＬＥＤ駆動回路の一例の回路図を図６Ｄに示す。図６Ｄに示すＬＥＤ駆動回路４０Ｄは、図６Ｂに示すＬＥＤ駆動回路４Ｄのうち、インピーダンス調整回路の一部、抵抗６２とｎ型ＭＯＳＦＥＴ６１とが電流引き抜き回路の一部として利用される。インピーダンス検出部７０Ｄからの信号又はパルス回路ＰＬの出力信号でｎ型ＭＯＳＦＥＴ６１をオンにするために、電流引き抜き回路及びインピーダンス検出部７０Ｄからの信号が入力するオア回路ＯＲ１を備えている。ｎ型ＭＯＳＦＥＴ６１は、電流引き抜き回路及びインピーダンス検出部７０Ｄのいずれか一方がＨＩＧＨのとき、オンになる。なお、電流引き抜き回路及び電流検出回路は同じ構成を有しているので詳細な説明を省略する。
【０１０９】
この構成のＬＥＤ駆動回路４０Ｄでも、図６Ａ、図６Ｂの構成と同様に、インピーダンス検出部７０Ｄからの調整信号に基づいて、インピーダンス調整部６０Ｄがインピーダンスの調整を行うので、調光を安定化させることができるとともに、不要な電力損失を低減することが可能である。
【０１１０】
（第８の実施形態）
図７は本発明にかかるＬＥＤ駆動回路の他の例を示す図である。なお、図７において図１と同一の部分には同一の符号を付し詳細な説明を省略する。図７に示すＬＥＤ駆動回路４Ｅは、インピーダンス検出部７Ｅによるインピーダンス検出のタイミングを制御する検出タイミング調整部８を備えている。
【０１１１】
図７に示す、検出タイミング調整部８は、位相制御式調光器２がオンになってから一定の時間経過後に検出開始信号をインピーダンス検出部７Ｅに送出する。インピーダンス検出部７Ｅは検出開始信号の受信を受信することで、位相制御式調光器２のインピーダンスの検出を開始する。
【０１１２】
たとえば、図２Ａに示すような、ＬＥＤ照明灯具Ｌ１、Ｌ２、Ｌ３が接続されているＬＥＤ照明システムでは、各ＬＥＤ照明灯具Ｌ１、Ｌ２、Ｌ３にＬＥＤ駆動回路４が備えられている。ＬＥＤ駆動回路４には、インピーダンス検出部７が備えられており、インピーダンス検出部７が、検出したインピーダンス値より、他のＬＥＤ照明灯具に備えられているインピーダンス調整部６でインピーダンスの調整（低下）が行われているかどうか判断し、必要に応じてインピーダンス調整部６でインピーダンスの調整（低下）を行っている。
【０１１３】
ＬＥＤ照明システムでは、いずれか一つのＬＥＤ照明灯具でインピーダンスの調整（低下）を行うようになっている。この構成の場合、インピーダンス検出部７でインピーダンスを検出するとき、他のＬＥＤ照明灯具において、インピーダンスの調整（低下）が行われている場合、１台のＬＥＤ照明灯具でのみ、インピーダンスの調整（低下）を行うことが可能である。
【０１１４】
しかしながら、少なくとも２台のＬＥＤ照明灯具を同時に点灯し、異なるＬＥＤ照明灯具に備えられたインピーダンス検出部７で同時にインピーダンス値を検出した場合、それぞれのインピーダンス検出部７では、インピーダンスの調整（低下）が行われていることを検出できず、それぞれのＬＥＤ照明灯具に含まれるインピーダンス調整部６でインピーダンスの調整（低下）を行う。これにより、それぞれのＬＥＤ照明灯具でインピーダンス調整部６に電流が流れ、不要な損失電流を低減することが困難になる。
【０１１５】
そこで、各ＬＥＤ照明灯具Ｌ１、Ｌ２、Ｌ３にＬＥＤ駆動回路４Ｅを搭載することで、各ＬＥＤ照明灯具Ｌ１、Ｌ２、Ｌ３のインピーダンス検出部７Ｅのインピーダンス検出開始のタイミングをずらしている。例えば、ＬＥＤ駆動回路４Ｅの検出タイミング調整部８から送出される検出開始信号の送信タイミングをＬＥＤ照明灯具Ｌ１、Ｌ２、Ｌ３ごとにずらすことで、インピーダンス検出開始のタイミングをずらすことができる。
【０１１６】
図面を参照して具体的に説明する。図８Ａは位相制御式調光器から出力される電圧の時間による変化を示すグラフであり、図８ＢはＬＥＤ照明灯具の検出タイミング調整部からインピーダンス検出部に送られる検出開始信号のタイミングを示す図である。ＬＥＤ照明灯具Ｌ１において検出タイミング調整部８からインピーダンス検出部７Ｅに検出開始信号を送出するタイミングを基準時（例えば、点灯操作開始）から時間ｔ１後、同じく、ＬＥＤ照明灯具Ｌ２では時間ｔ２後、同じく、ＬＥＤ照明灯具Ｌ３では時間ｔ３後（ｔ１＜ｔ２＜ｔ３）とする。なお、時間ｔ１、ｔ２、ｔ３はＬＥＤ駆動回路の電圧が急激に増大する前、すなわち、位相制御式調光器２がオンになる前である。
【０１１７】
図８Ａに示すように、ＬＥＤ照明灯具Ｌ１、Ｌ２、Ｌ３が同時点灯されると、すなわち、位相制御式調光器２より、全てのＬＥＤ照明灯具Ｌ１、Ｌ２、Ｌ３に同時にＬＥＤ駆動電流が供給される。このとき、図８Ｂに示すように、位相制御式調光器２から電流が供給される前に（タイミングｔ１）ＬＥＤ照明灯具Ｌ１で検出タイミング調整部８からインピーダンス検出部７Ｅに検出開始信号が送出される。ＬＥＤ照明灯具Ｌ１において、インピーダンス検出部７Ｅは、位相制御式調光器２のインピーダンスを検出する。このとき、ＬＥＤ照明灯具Ｌ２、Ｌ３ではインピーダンスの調整（低下）が行われていないので、インピーダンス検出部７Ｅはインピーダンス調整部６に調整信号を送る。インピーダンス調整部６は調整信号を受け取ると、インピーダンスの調整（低下）を行う。このようにして、ＬＥＤ照明灯具Ｌ１でインピーダンスの調整（低下）が行われる。
【０１１８】
一方、ＬＥＤ照明灯具Ｌ２、Ｌ３では、インピーダンス検出のタイミングがＬＥＤ照明灯具Ｌ１よりも後（時間ｔ２、ｔ３）なので、ＬＥＤ照明灯具Ｌ１でインピーダンス調整（低下）が行われた後にインピーダンス検出が行われる。これにより、ＬＥＤ照明灯具Ｌ２、Ｌ３では、インピーダンス検出部７Ｅが、すでに、ＬＥＤ照明灯具Ｌ１でインピーダンスの調整（低下）が行われていると判断し、調整信号を送出しない、すなわち、インピーダンス調整（低下）を行わない。このようにして、複数台のＬＥＤ照明灯具を同時点灯する場合でも、調光を安定化させることができるとともに、不要な損失電力を低減することが可能である。
【０１１９】
なお、上述の例では、ＬＥＤ駆動回路４Ｅの検出タイミング調整部８は、予め決められたタイミングで検出開始信号を送出するものとしているが、任意に設定できる構成としてもよい。このとき、開始のタイミング（時間）を自由に設定できるようにしてもよく、予め決められたタイミングより選択するようにしてもよい。また、複数台のＬＥＤ照明灯具を接続する場合において、１台は検出タイミング調整部８を備えていないＬＥＤ駆動回路（例えば、ＬＥＤ駆動回路４）としてもよい。検出タイミング調整部８を備えていないことで、位相制御式調光器２のオンと同時にインピーダンス検出部がインピーダンスを検出するので、検出タイミング調整部８を備えるＬＥＤ照明灯具よりも早いタイミングでインピーダンスの検出を開始するので重なることはない。
【０１２０】
（第９の実施形態）
図９は本発明にかかるＬＥＤ駆動回路の他の例を示す図である。なお、図９において図１と同一の部分には同一の符号を付し詳細な説明を省略する。図９に示すＬＥＤ駆動回路４Ｆは、インピーダンス検出部７Ｆを備えている。
【０１２１】
図９に示すように、ＬＥＤ駆動回路４Ｆは、出力保持回路８１を備えている。インピーダンス検出部７Ｆは、検出したインピーダンス値よりインピーダンス調整（低下）が必要か判断し、その判断結果を表す信号を出力保持回路８１に送出する。出力保持回路８１は、インピーダンス検出部７Ｆから出力された信号を受け、インピーダンス調整（低下）が必要であるときは、インピーダンス調整部６に調整信号を送出する。出力保持回路８１は、調整信号を保持する機能を有しており、インピーダンス検出部７２からの信号の入力が無くても、同じ調整信号を送出しつづける。また、調整信号の保持はＬＥＤ照明灯具にかかる電源がオフになる、位相制御式調光器２がオフになるまで行われる。
【０１２２】
また、インピーダンス調整（低下）が不要であるときは、出力保持回路８１は、調整信号の送出を行わない。出力保持回路８１は、インピーダンス検出部７２からの信号の入力が無くても、調整信号の送出を行わない（停止）状態を維持する。
【０１２３】
このように、出力保持回路８１を備えることで、インピーダンス検出部７Ｆは１度、インピーダンスを検出するだけでよい。これにより、インピーダンス検出に要する電流の消費を抑えることができ、不要な電力損失を低減することが可能である。
【０１２４】
また、インピーダンス検出部７Ｆが、周期的にインピーダンスを検出し、出力保持回路８１に送り、出力保持回路８１は送られてくる信号に基づいて、調整信号を変更するようにしてもよい。このようにすることで、インピーダンス調整部６で調整されるインピーダンス値を適切なものとすることができる。これにより、調光の安定化を高めることができる。
【０１２５】
以上、本発明の実施形態につき説明したが、本発明の範囲はこれに限定されるものではなく、発明の主旨を逸脱しない範囲で種々の変更が可能である。
【０１２６】
（本発明にかかるＬＥＤ照明灯具）
最後に本発明にかかるＬＥＤ照明灯具の概略構造について説明する。図１０は本発明にかかるＬＥＤ照明灯具、本発明にかかるＬＥＤ照明機器、及び本発明にかかるＬＥＤ照明システムの概略図である。図１０では、電球型の本発明にかかるＬＥＤ照明灯具２００を部分切り欠き図で示している。図１０に示す電球型の本発明にかかるＬＥＤ照明灯具２００は、筐体又は基板２０２と、筐体又は基板２０２の正面（電球型の頭部側）に設置された１個以上のＬＥＤからなるＬＥＤモジュール２０１と、筐体又は基板２０２の背面（電球型の下部側）に設置された回路２０３とを内部に備えている。回路２０３には、例えば上述した本発明にかかるＬＥＤ駆動回路の各例を用いることができる。なお、回路２０３は、上述した本発明にかかるＬＥＤ駆動回路の各例に限定されず、位相制御式調光器２のインピーダンスを検出して、その検出したインピーダンス値に基づいてインピーダンスの調整（低下）を行う回路を少なくとも備えた回路構成であればよいことはいうまでもない。
【０１２７】
電球型の本発明にかかるＬＥＤ照明灯具２００がねじ込まれて装着されるＬＥＤ照明灯具装着部３００と、ライトコントロール器（位相制御式調光器）４００とが、交流電源１に直列に接続される。電球型の本発明にかかるＬＥＤ照明灯具２００とＬＥＤ照明灯具装着部３００によって、ＬＥＤ照明機器（シーリングライト、ペンダントライト、キッチンライト、ダウンライト、スタンドライト、スポットライト、フットライト等）が構成される。そして、電球型の本発明にかかるＬＥＤ照明灯具２００と、ＬＥＤ照明灯具装着部３００と、ライトコントロール器４００とによって、本発明にかかるＬＥＤ照明システム５００が構成される。ＬＥＤ照明灯具装着部３００は例えば居室内の天井壁面に配設され、ライトコントロール器４００は例えば居室内の側方壁面に配設される。
【０１２８】
電球型の本発明にかかるＬＥＤ照明灯具２００がＬＥＤ照明灯具装着部３００に対して着脱自在であるため、例えば、従来は白熱灯、蛍光灯等の照明灯具を用いていた既存の照明機器及び照明システムにおいて、白熱灯、蛍光灯等の照明灯具を電球型の本発明にかかるＬＥＤ照明灯具２００に交換するだけで、位相制御式調光器の調光を安定化させることができるとともに、不要な損失電力を低減することが可能である。
【０１２９】
図１０では、ライトコントロール器４００が図１中の位相制御式調光器である場合のライトコントロール器４００の外観を図示しており、ツマミ式ボリュームにより調光の度合を変更できるようにしている。なお、ツマミ式に代えて、スライド式ボリュームにより調光の度合を変更できるようにしてもよいことはいうまでもない。
【０１３０】
また、上述では、前記ライトコントロール器４００としてツマミ式ボリュームやスライド式ボリュームにより使用者が直接操作するものを挙げているが、これに限定されず、リモートコントローラ等の無線信号により使用者が遠隔操作するものであってもよい。すなわち、受信側である前記ライトコントロール器本体に無線信号受信部を設け、送信側である送信機本体（例えば、リモコン送信機、携帯端末等）に前記無線信号受信部へライトコントロール信号（例えば、調光信号、ライトＯＮ／ＯＦＦ信号等）を送信する無線信号送信部を設けることで遠隔操作できる。
【０１３１】
本発明にかかるＬＥＤ照明システムの他の例の概略構造について説明する。図１１は本発明にかかるＬＥＤ照明システムの概略図である。図１１に示すように、ＬＥＤ照明システム５０１は、３個のＬＥＤ照明灯具２００と、３個のＬＥＤ照明灯具装着部３００と、１台のライトコントロール器４０１とを備えている。
【０１３２】
ライトコントロール器４０１は交流電源１と接続されているとともに、３個のＬＥＤ照明灯具装着部３００が並列に接続されている。ライトコントロール器４０１は交流電源１から、各ＬＥＤ照明灯具装着部３００に電流を供給することができる。また、ライトコントロール器４０１は、１つの位相制御式調光器で、各ＬＥＤ照明灯具装着部３００の調光を制御する構成となっている。なお、ライトコントロール器４０１は図示を省略しているが、ＬＥＤ照明灯具装着部３００ごとに、調光できる構成となっている。
【０１３３】
３台のＬＥＤ照明灯具装着部３００のそれぞれにＬＥＤ照明灯具２００が装着される。このとき、ＬＥＤ照明灯具２００は、内蔵されている回路２０３の動作により、位相制御式調光器の調光を安定化させ、不要な電力損失を抑えることが可能となっている。なお、ＬＥＤ照明灯具装着部３００が３台に限定されないことはいうまでもない。そして、ＬＥＤ照明システム５０１では、ＬＥＤ照明灯具装着部３００の少なくとも１台にＬＥＤ照明灯具２００が装着されていれば、残りのＬＥＤ照明灯具装着部３００には、白熱灯、蛍光灯等の既存の照明灯具が装着されていてもかまわない。
【０１３４】
以上に示した、本発明にかかるＬＥＤ照明灯具は、電球型のＬＥＤ照明灯具であったが、それに限定されるものではなく、例えば、図１２に示すように、電灯型ＬＥＤ照明灯具６００、環形のＬＥＤ照明灯具７００、又は直管型のＬＥＤ照明灯具８００であってもよい。いずれの形状にしても、ＬＥＤ照明灯具は、ＬＥＤと、位相制御式調光器２のインピーダンス検出を行い、検出したインピーダンス値に基づいて、インピーダンスの調整（低下）を行う回路を少なくとも内部に備えている。
【符号の説明】
【０１３５】
１  交流電源
２  位相制御式調光器
３  ＬＥＤモジュール
４  ＬＥＤ駆動回路
５  ＬＥＤ電流制御回路
６  インピーダンス調整部
６１  ｎ型ＭＯＳＦＥＴ
６２  抵抗
６３  電流検出回路
６４  制御回路
６５  制御回路
７  インピーダンス検出部
７１  電流引き抜き回路
７２  インピーダンス検出回路
８  検出タイミング調整部
８１  出力保持回路
２００  ＬＥＤ照明灯具
３００  ＬＥＤ照明灯具装着部
４００  ライトコントロール器（位相制御式調光器）
５００  ＬＥＤ照明システム
【図１】
0005476325.tif 000002
【図２Ａ】
0005476325.tif 000003
【図２Ｂ】
0005476325.tif 000004
【図２Ｃ】
0005476325.tif 000005
【図３Ａ】
0005476325.tif 000006
【図３Ｂ】
0005476325.tif 000007
【図４Ａ】
0005476325.tif 000008
【図４Ｂ】
0005476325.tif 000009
【図５】
0005476325.tif 000010
【図６Ａ】
0005476325.tif 000011
【図６Ｂ】
0005476325.tif 000012
【図６Ｃ】
0005476325.tif 000013
【図６Ｄ】
0005476325.tif 000014
【図７】
0005476325.tif 000015
【図８Ａ】
0005476325.tif 000016
【図８Ｂ】
0005476325.tif 000017
【図９】
0005476325.tif 000018
【図１０】
0005476325.tif 000019
【図１１】
0005476325.tif 000020
【図１２】
0005476325.tif 000021
【図１３】
0005476325.tif 000022
【図１４Ａ】
0005476325.tif 000023
【図１４Ｂ】
0005476325.tif 000024
【図１４Ｃ】
0005476325.tif 000025